(57)【要約】【課題】成形用の金型を単純にし、全体を容易に一体成形する。【解決手段】本体部１０と、本体部１０の一端に開閉自在に連結する蓋部２０と、蓋部２０の先端に屈曲自在に連結する駆動部３０とを設け、蓋部２０を閉じると、駆動部３０は、本体部１０内の薬液容器Ａの底部を軸方向に駆動してノズルＡ3 から薬液を噴射させる。【選択図】図１
2007151646.tif 000002
【特許請求の範囲】
【請求項１】
ノズル付きの薬液容器を側部から収納して保持する本体部と、該本体部の一端に開閉自在に連結する蓋部と、該蓋部の先端に屈曲自在に連結する駆動部とを備えてなり、前記蓋部を前記本体部側に閉じると、前記駆動部は、前記蓋部の内側に屈曲し、前記本体部内の薬液容器の底部を軸方向に駆動して前記本体部の外部に突出するノズルから薬液を噴射させることを特徴とする薬液容器の噴射アダプタ。
【請求項２】
前記本体部には、前記駆動部の先端を薬液容器の軸方向にガイドするガイド部を形成することを特徴とする請求項１記載の薬液容器の噴射アダプタ。
【請求項３】
前記本体部には、薬液容器を保持する左右の保持リブを形成することを特徴とする請求項１または請求項２記載の薬液容器の噴射アダプタ。
【請求項４】
前記保持リブの両外側には、前記蓋部の側壁が進入する隙間を介してガード板を形成することを特徴とする請求項３記載の薬液容器の噴射アダプタ。
【発明の詳細な説明】
【技術分野】
【０００１】
この発明は、点鼻薬、鎮痛剤スプレイ、咽喉スプレイなどの患部に噴射して使用する薬液の噴射操作を一層容易にすることができる薬液容器の噴射アダプタに関する。
【背景技術】
【０００２】
患部に噴射して使用する薬液は、噴射用のポンプを内蔵するノズル付きの薬液容器に充填して市販されている。ノズルは、容器本体の口部に装着されており、ノズルの基部の指掛けに人差指、中指を掛け、容器本体の底部に親指を掛けてノズルを容器本体の軸方向に押し込むように力を加えると、ポンプが作動してノズルから薬液を噴射させることができる。なお、ポンプには、自動復帰用のばねが内蔵されている。
【０００３】
かかる薬液容器は、健常者が使用するのに格別な支障がないが、手指に力が入らない高齢者などにとって、必ずしも使用し易いとはいえない場合があるため、噴射操作を補助するための噴射アダプタが提案されている（特許文献１）。
【０００４】
従来の噴射アダプタは、ノズル付きの薬液容器をノズル側から挿入するようにして収納する底部開放の円筒状の本体部と、本体部の下端の一部に屈曲自在に連結し、本体部の一方の側面を外側から囲むように形成するＬ字状の操作部とを備えており、操作部には、本体部の開放底部に対応するようにして突起状の駆動部が付設されている。そこで、操作部を握って本体部に近接させると、駆動部を介して薬液容器の底部を押し上げ、本体部の先端に突出するノズルから薬液を噴射させることができる。なお、Ｌ字状の操作部を設けるに代えて、本体部の側面の一部を揺動自在に外部に膨出させ、本体部の開放底部に上方に折れる駆動片を設けたり、本体部の開放底部に装着する蓋板に別体の駆動部材を設けたりすることも併せて提案されている。
【特許文献１】特開平１０−１７９７３９号公報
【発明の開示】
【発明が解決しようとする課題】
【０００５】
かかる従来技術によるときは、本体部が円筒状であるため、成形用の金型が複雑高価になり、製造コストが過大になりがちである上、全体を一体成形することが必ずしも容易でないという問題があった。
【０００６】
そこで、この発明の目的は、かかる従来技術の問題に鑑み、薬液容器を収納する本体部を実質的に樋状にすることによって、成形用の金型を単純にし、蓋部、駆動部を含む全体を容易に一体成形することができる薬液容器の噴射アダプタを提供することにある。
【課題を解決するための手段】
【０００７】
かかる目的を達成するためのこの発明の構成は、ノズル付きの薬液容器を側部から収納して保持する本体部と、本体部の一端に開閉自在に連結する蓋部と、蓋部の先端に屈曲自在に連結する駆動部とを備えてなり、蓋部を本体部側に閉じると、駆動部は、蓋部の内側に屈曲し、本体部内の薬液容器の底部を軸方向に駆動して本体部の外部に突出するノズルから薬液を噴射させることをその要旨とする。
【０００８】
なお、本体部には、駆動部の先端を薬液容器の軸方向にガイドするガイド部を形成することができる。
【０００９】
また、本体部には、薬液容器を保持する左右の保持リブを形成することができ、保持リブの両外側には、蓋部の側壁が進入する隙間を介してガード板を形成することができる。
【発明の効果】
【００１０】
かかる発明の構成によるときは、本体部は、ノズル付きの薬液容器を側部から径方向に嵌め込むように収納して保持するために、実質的に片側開放の樋状に形成すればよく、円筒状にする必要がないから、単純な割型を使用して、蓋部、駆動部とともに一挙に容易に一体成形することができる。
【００１１】
なお、本体部に連結する蓋部は、本体部に対向する樋状に形成すればよく、蓋部に連結する駆動部は、蓋部の内側に屈曲して本体部内の薬液容器の底部を軸方向に押圧して駆動するように、たとえば補強リブ付きの丈夫な板状に形成することが好ましい。また、蓋部は、本体部に対し、駆動部は、蓋部に対し、それぞれ薄肉のヒンジを介して連結することができる。ただし、これらの連結部の一方または双方は、ヒンジピンを有するヒンジとし、本体部、蓋部、駆動部は、各隣接する部材を互いに別体として形成してもよい。
【００１２】
本体部に形成するガイド部は、蓋部を閉じるに際し、駆動部の先端を薬液容器の軸方向にガイドすることにより、薬液容器を正しく軸方向に駆動することができる。また、本体部に形成する保持リブは、薬液容器を左右から挟み込むようにして弾発的に保持することにより、本体部内において薬液容器を軸方向にのみ移動可能に拘束する。さらに、保持リブの両外側のガード板は、蓋部を閉じる際に、蓋部と本体部との間に手指や患部に近い身体の一部が不用意に挟み込まれる事故を防止する。
【発明を実施するための最良の形態】
【００１３】
以下、図面を以って発明の実施の形態を説明する。
【００１４】
薬液容器の噴射アダプタは、薬液容器Ａを収納する本体部１０と、薄肉のヒンジ４１を介して本体部１０の一端に開閉自在に連結する蓋部２０と、薄肉のヒンジ４２を介して蓋部２０の先端に屈曲自在に連結する駆動部３０とを備えてなる（図１）。
【００１５】
薬液容器Ａは、薬液を充填する円筒状の容器本体Ａ1 の口部に対し、ケースＡ2 を介してノズルＡ3 を軸方向に相対移動可能に装着して構成されている。ノズルＡ3 の基部には、円板状の指掛けＡ4 が形成されており、ノズルＡ3 を容器本体Ａ1 の方向、すなわち薬液容器Ａの軸方向に押し込むように相対移動させると、ケースＡ2 に内蔵するポンプが作動し、ノズルＡ3 の先端から容器本体Ａ1 内の薬液を噴射させることができる。ポンプには、復帰用のばねが内蔵されており、フリー状態では、指掛けＡ4 とケースＡ2 との間に操作ストロークｓ相当の隙間があり、噴射操作の際には、ｓ≒０にまでノズルＡ3 をばねに抗して相対移動させる。
【００１６】
本体部１０は、薬液容器Ａを側部から収納して保持するために、全体として実質的に片側開放の樋状に形成されている（図１、図２）。
【００１７】
本体部１０の底部１１は、外側に膨出しており、底部１１の左右には、一対の保持リブ１２、１２が形成され、保持リブ１２、１２の両外側には、左右のガード板１３、１３が保持リブ１２、１２より高く立設されている。本体部１０の後部には、薬液容器Ａの容器本体Ａ1 の底部に対応する仕切リブ１４が形成され、中間部には、ケースＡ2 のローレット付きの最大径部を支持する仕切リブ１５が形成され、前端部には、指掛けＡ4 に対応するストッパ１６が形成されている。なお、各ガード板１３の前方側上部内面には、小さな係合突部１３ａが形成されている。
【００１８】
仕切リブ１４、１５は、それぞれ左右の保持リブ１２、１２の間に形成されている。仕切リブ１４の上縁は、容器本体Ａ1 の外径より小径の円弧状に切り欠かれ、仕切リブ１５の上縁は、ケースＡ2 の最大径部の外径に適合する円弧状に切り欠かれている。また、ストッパ１６は、左右を十分に高くして各頂端部の前方側を斜面に形成し、中間部をノズルＡ3 の基部の外径に合わせて円弧状に切り欠いている。
【００１９】
底部１１の仕切リブ１４、１５の間には、容器本体Ａ1 の側面を支持する支持リブ１７、１８、１８が形成されている（図２、図３）。また、各保持リブ１２は、仕切リブ１５の前方側が仕切リブ１５より低く形成され、仕切リブ１５と同一高さの中間部には、上端部を内側に滑らかに膨出させる係合リブ１２ｂが形成されている。各保持リブ１２の後部上縁は、仕切リブ１４の前後に亘って仕切リブ１４と同一高さに低く切り欠かれ、駆動部３０の先端を係合させてガイドするガイド部１２ａが形成されている。
【００２０】
そこで、薬液容器Ａは、容器本体Ａ1 の底部を仕切リブ１４の前面に位置させて側部から径方向に嵌め込むようにして本体部１０内に収納することができ、このとき、左右の保持リブ１２、１２は、容器本体Ａ1 の中心Ａo よりやや高い位置において係合リブ１２ｂ、１２ｂが容器本体Ａ1 の外周に係合し、容器本体Ａ1 を左右から挟み込んで弾発的に保持することができる。また、ケースＡ2 は、仕切リブ１５上に支持され（図１、図２）、指掛けＡ4 は、ストッパ１６に当接して位置決めされ、ノズルＡ3 は、ストッパ１６の前方の半円形の切欠き１９を介して外部に突出する。
【００２１】
蓋部２０は、外側に膨出する底部２１の左右に側壁２２、２２を立設して本体部１０に適合する樋状にするとともに、両端部を滑らかに閉じて形成されている（図１、図３）。各側壁２２の中間部には、上縁部内面を長方形に切り欠いて本体部１０の各保持リブ１２の上縁部に対応するポケット２２ａが形成され、ポケット２２ａのヒンジ４２側の一端には、ポケット２２ａの幅と同一深さの半円形の切欠き２２ｂが形成されている。また、各側壁２２の上縁部外面には、本体部１０の各ガード板１３の内面側に対応し、ガード板１３上の係合突部１３ａに係合可能な係合リブ２２ｃが形成されている。
【００２２】
そこで、蓋部２０は、ヒンジ４１を介して本体部１０側に閉じると、各側壁２２の上縁部分が本体部１０の各保持リブ１２、ガード板１３の間に進入して本体部１０内の薬液容器Ａをカバーすることができる（図３の二点鎖線）。すなわち、本体部１０の各保持リブ１２、ガード板１３の間には、蓋部２０の各側壁２２が進入する隙間ｇが形成されている。また、各係合リブ２２ｃは、対応するガード板１３上の係合突部１３ａを乗り越え、さらにガード板１３の上縁に対して斜めに係合して摺動することにより、適切な操作感を発現することができる。なお、蓋部２０のヒンジ４１側には、本体部１０の切欠き１９に対応する半円形の切欠き２３が形成されており（図１）、ノズルＡ3 は、蓋部２０を閉じても、切欠き１９、２３が形成する開口部を介し、余裕を以って外部に突出する。
【００２３】
駆動部３０は、ヒンジ４２を介して一辺を蓋部２０の先端に連結する長方形の板材３１と、板材３１の先端に左右に突出して付設する一対の円板状の係合片３２、３２とを備えている（図１、図４）。板材３１の一面には、弓形に湾曲する補強リブ３３、３３…が平行に形成されており、各係合片３２は、断面Ｕ字状の支持ロッド３２ａの先端に付設されている。ただし、板材３１の先端側の一辺には、中間部が各支持ロッド３２ａより大径の断面Ｕ字状の補強部３１ａが補強リブ３３、３３…の先端部を嵌め込むようにして形成されている。そこで、ヒンジ４２を介して駆動部３０を蓋部２０の内側に屈曲させ、蓋部２０を本体部１０側に閉じると、各係合片３２は、本体部１０の各保持リブ１２、ガード板１３の間の隙間ｇ内に位置し、駆動部３０は、各支持ロッド３２ａが保持リブ１２上のガイド部１２ａに係合することにより、ガイド部１２ａ、１２ａを介してガイドすることができる（図４の二点鎖線）。
【００２４】
なお、図５は、薬液容器の噴射アダプタの全体展開平面図である。かかる薬液容器の噴射アダプタは、単純な２分割の割型を使用して、たとえばポリプロピレンなどの熱可塑性樹脂により容易に一体成形可能である。
【００２５】
薬液容器Ａは、本体部１０に対して蓋部２０を適当な角度θ＝θ1 ＜９０°に閉じた上（図６）、ノズルＡ3 を切欠き１９、２３による開口部に挿入してヒンジ４１の外側に突き出し、容器本体Ａ1 を保持リブ１２、１２の間に嵌め込むようにして（図６の矢印Ｋ1 方向）、本体部１０に側部から収納して保持させることができる。なお、このようにして本体部１０内に収納された薬液容器Ａは、容器本体Ａ1 の底部が仕切リブ１４の前面に当接し、ケースＡ2 の最大径部が仕切リブ１５上に支持され、指掛けＡ4 がストッパ１６の後面に当接している。また、容器本体Ａ1 は、保持リブ１２、１２の係合リブ１２ｂ、１２ｂを介して弾発的に保持され、軸方向にのみ移動可能に拘束されている。なお、このときのノズルＡ3 は、フリー状態から僅かだけ容器本体Ａ1 側に押し込まれていてもよい。
【００２６】
つづいて、駆動部３０を蓋部２０の内側に屈曲させながら蓋部２０を角度θ＝θ2 ＜θ1 にまで閉じ（図１）、蓋部２０の外面の係合リブ２２ｃ、２２ｃが本体部１０側の係合突部１３ａ、１３ａを乗り越えると、蓋部２０は、係合リブ２２ｃ、２２ｃ、係合突部１３ａ、１３ａを介して開放方向に軽くロックすることができる。また、このとき、駆動部３０は、支持ロッド３２ａ、３２ａが本体部１０側のガイド部１２ａ、１２ａの中間部に係合し、先端の補強部３１ａの外面が容器本体Ａ1 の底部に軽く当接する。
【００２７】
なお、図１の薬液容器Ａは、ノズルＡ3 を含む全体を保護カバーＢに収納して保管することができる（図７）。保護カバーＢは、頂角θ2 相当の左右の側板Ｂ1 、Ｂ1 と、本体部１０、蓋部２０の外形に適合する前後の斜板Ｂ2 、Ｂ3 を組み合わせる下部開放のスカート体であり、ノズルＡ3 を含む全体を収容し得る内容積を有する。また、各側板Ｂ1 の下部には、収容物の一部が見える切欠きＢ1aが形成されている。保護カバーＢは、透明材または不透明材によって一体成形してもよい。
【００２８】
図１において、蓋部２０をさらに閉じると（図１の矢印Ｋ2 方向）、駆動部３０は、ガイド部１２ａ、１２ａ上の支持ロッド３２ａ、３２ａが薬液容器Ａの軸方向にガイドされて前進し、角度θ＝０において蓋部２０とほぼ平行となる（図８）。そこで、このときの薬液容器Ａは、駆動部３０を介して容器本体Ａ1 が軸方向に駆動され、ノズルＡ3 から容器本体Ａ1 内の薬液を噴射させることができる。なお、駆動部３０による容器本体Ａ1 の駆動限は、ケースＡ2 と指掛けＡ4 との間の操作ストロークｓ≒０となるように設定されている。また、このようにして薬液を噴射させるときは、本体部１０を掌に置き、親指を除く４本の手指を蓋部２０の外面に掛け、全体を握り込むように操作すればよい。一方、蓋部２０に加える力を緩めると、薬液容器Ａ内のばねを介して蓋部２０が図１の角度θ＝θ2 にまで自動復帰するから、以後、同様の噴射操作を繰り返すことができる。
【００２９】
なお、図３の実線、二点鎖線は、それぞれ図１、図８に対応している。また、図８において、ガイド部１２ａ、１２ａに沿って前進した駆動部３０の係合片３２、３２は、蓋部２０の切欠き２２ｂ、２２ｂを介して外部から目視することができる。
【００３０】
以上の説明において、薬液容器Ａは、円筒状の指掛けＡ4 に対して横向きのノズルＡ3 を設ける横噴射形であってもよい（図９）。本体部１０の底部１１には、ノズルＡ3 を外部に突出させる円形の切欠き１９がヒンジ４１寄りに形成されている。また、本体部１０、蓋部２０のヒンジ４１側の内面は、指掛けＡ4 が当接するストッパ１６となっている。なお、指掛けＡ4 の頂面は、ノズルＡ3 側が高く、反対側が低い斜めに形成されており、蓋部２０の内面は、蓋部２０を角度θ＝０にまで閉じるとき、指掛けＡ4 に当接するものとする（図９の二点鎖線）。
【図面の簡単な説明】
【００３１】
【図１】動作説明図（１）
【図２】要部斜視説明図（１）
【図３】図１のＸ−Ｘ線矢視相当端面説明図
【図４】要部斜視説明図（２）
【図５】全体展開平面図
【図６】動作説明図（２）
【図７】使用状態説明図
【図８】動作説明図（３）
【図９】他の実施の形態を示す図１相当図
【符号の説明】
【００３２】
Ａ…薬液容器
Ａ3 …ノズル
ｇ…隙間
１０…本体部
１２…保持リブ
１２ａ…ガイド部
１３…ガード板
２０…蓋部
３０…駆動部
特許出願人          伸晃化学株式会社
代理人  弁理士        松  田  忠  秋
【図１】
2007151646.tif 000003
【図２】
2007151646.tif 000004
【図３】
2007151646.tif 000005
【図４】
2007151646.tif 000006
【図５】
2007151646.tif 000007
【図６】
2007151646.tif 000008
【図７】
2007151646.tif 000009
【図８】
2007151646.tif 000010
【図９】
2007151646.tif 000011